(57)【特許請求の範囲】
【請求項１】
円形平板状に底板を形成し、当該底板外周部に立設した円筒状の外槽と、当該外槽の内側底板上に立設した円筒状の内槽との間に貯水して環状水槽を設け、当該環状水槽内に、環状水槽水面の上方に延出した上下動可能な有頂円筒状のガス槽を設け、当該有頂円筒状のガス槽を上下動可能な複数段の円筒状側壁を備えた多段式テレスコープ型のガス槽に形成した有水式ガスホルダーにおいて、上記ガス槽の上段ガス槽の上部に大気と連通する通気口を設けるとともに、上記ガス槽の上段ガス槽の側壁内側中間部に周縁部を取り付けて上下動可能に設けた可撓性膜材が、ガス無貯溜の状態で底板上に着底し、かつガスを貯溜した状態で上昇反転し、上記有頂円筒状のガス槽の天頂部に着接させてガスを貯溜するように形成したダイアフラムを備えてなることを特徴とする有水式ガスホルダー。
【発明の詳細な説明】
【０００１】
【発明の属する技術分野】
この発明は、都市ガスなどのガスを貯溜するために用いる有水式ガスホルダーに関するものである。
【０００２】
【従来の技術】
図２に一般例を示したように、従来の有水式ガスホルダー５１は、円形平板状に形成した底板５２と、その底板５２の外周部に鋼製円筒体を立設して内部に水封用の水を貯える水槽５３と、その水槽５３の内部に貯えた水に下部を水封して上下動可能に浮かべ、内部にガスを貯溜する鋼製有頂円筒状のガス槽５４と、その下部が水封されたガス槽５４の内部に貯溜するガスを出し入れするガス出入り管５５を設けて形成している。
【０００３】
また、水槽５３内に下部を水封して浮かべたガス槽５４は、ガスの出し入れによってガス槽５４が上下動する際に転倒、或は回転しないように、水槽５３の外側周囲に一定間隔で立設した基柱５６でガス槽５４の上部に取付けた上部ガイドローラー５７を案内し、かつガス槽５４の下部に取付けた下部ガイドローラー（図示省略）を水槽５３の内壁面及びガス槽５４の内壁面に取付けたガイド枠（図示省略）で案内して上下動するように形成している。
【０００４】
また、大形の有水式ガスホルダーにおいては、その複数段に形成したガス槽最内部一段目の有頂円筒状ガス槽の下部外側に水封用水を溜めるカップを設け、そのカップに水封状態で係合するデップを上部内側に形成した円筒状の側壁からなる二段目のガス槽を最内部の一段目ガス槽の外側に設け、その二段目のガス槽の下部外側に水封用水を溜めるカップを設けるとともにそのカップに水封状態で係合するデップを上部内側に形成した円筒状の側壁からなるガス槽を三段目のガス槽として設け、そのように水封用水を溜めるカップとそのカップと水封状態で係合するデップを備えた円筒状側壁からなるガス槽を順次内側から外側に設けて、複数段の円筒状側壁を備えた多段式テレスコープ型のガス槽を形成し、ガスの供給によって、最内部から外側に向けて多段式のガス槽が順次上昇し、ガスの排出によって最外部から内側に向けて多段式のガス槽が順次降下するように形成している。
【０００５】
なお、図２の有水式ガスホルダー５１は、水封用水を溜めるカップ５４Ｃを下部外周に設けた最内部の有頂円筒体からなるガス内槽５４Ｉと、そのガス内槽５４Ｉの外側に、ガス内槽５４Ｉのカップ５４Ｃと水封状態で係合するデップ５４Ｄを上部内周に形成し、かつ下部外周に水封用水を溜めるカップ５４Ｃを形成した円筒状側壁からなるガス中槽５４Ｍと、そのガス中槽５４Ｍの外側に、ガス中槽５４Ｍのカップ５４Ｃと水封状態で係合するデップ５４Ｄを上部内周に形成した円筒状側壁からなるガス外槽５４Ｏの、三層からなるガス槽５４Ｉ、５４Ｍ、５４Ｏでガス槽５４を形成した三段式テレスコープ型ガス槽の事例を示している。
【０００６】
【発明が解決しようとする課題】
図２に示したような従来の有水式ガスホルダーにおいては、水槽の中央部にも水封用の水を貯溜しているため、この水槽中央部にはガスを貯溜することができず、無駄なスペースとなっていた。また、中央部にも貯水する水槽の基礎は、より堅牢に形成する必要があり、加えて水槽内に貯溜する大量の水の後処理問題を内在していた。
【０００７】
これらの問題を解決する構造案として、底板の外周部に水封用の水槽を環状に設ける有水式ガスホルダーの構造が考えられるが、単に環状に水槽を設けるのみでは、環状水槽内部の空間に貯溜したガスは出し入れをすることができず、環状水槽内部の空間は、実質的には、ガスの貯溜に有効利用することのできない無駄なスペースとなる。
【０００８】
この発明は、上述のような従来技術が有する問題点に鑑みてなされたもので、ガスの貯溜に有効利用できない無駄なスペースを減じ、小スペースの敷地に設置しても効率良く大容量のガスを貯蔵できる有水式ガスホルダーを提供するものである。
【０００９】
【課題を解決するための手段】
この発明に係る有水式ガスホルダーは、円形平板状に底板を形成し、その底板外周部に立設した円筒状の外槽と、その外槽の内側底板上に立設した円筒状の内槽との間に貯水して環状水槽を設け、その環状水槽内に、環状水槽水面の上方に延出した上下動可能な有頂円筒状のガス槽を設け、その有頂円筒状のガス槽を上下動可能な複数段の円筒状側壁を備えた多段式テレスコープ型のガス槽に形成した有水式ガスホルダーにおいて、上記ガス槽の上段ガス槽の上部に大気と連通する通気口を設けるとともに、ガス槽の上段ガス槽の側壁内側中間部に周縁部を取り付けて上下動可能に設けた可撓性膜材が、ガス無貯溜の状態で底板上に着底し、かつガスを貯溜した状態で上昇反転し、上記有頂円筒状のガス槽の天頂部に着接させてガスを貯溜するように形成したダイアフラムを備えてなるものである。
【００１１】
【発明の実施の形態】
この発明に係る有水式ガスホルダーの一実施形態例を図１に基づいて説明する。図中１は、この発明に係る有水式ガスホルダー、２は底板、３は外槽、４は内槽、５は外槽３と内槽４の間に貯水して設けた環状水槽、６は上段ガス槽６Ｕと下段ガス槽６Ｌからなるガス槽、７はダイアフラム、８は通気口である。
【００１２】
図１の［Ａ］は、上段ガス槽６Ｕの内部に設けたダイアフラム７とガス槽６とが着底したガス無貯溜の状態を示し、図１の［Ｂ］は、ガス槽６が着底した状態でダイアフラム７が上昇してガスを貯溜している状態、図１の［Ｃ］は、上段及び下段のガス槽６Ｕ、６Ｌからなるガス槽６が全昇してガスを貯溜している状態を示している。
【００１３】
この発明に係る有水式ガスホルダー１は、まず鋼板等を接合して基礎１０の上に、円形平板状の底板２を形成し、その底板２の外周部に鋼製円筒状の外槽３を立設し、その外槽３内側の底板上に、鋼製円筒状の内槽４を立設して、外槽３と内槽４との間に水封用の水をリング状に貯えた環状水槽５を設ける。
【００１４】
そして、その環状水槽５の内部に、環状水槽５の水面上方まで延出した上下動可能な鋼製有頂円筒状のガス槽６を設け、そのガス槽６の上部には大気と連通する通気口８を設け、ガス槽６の内部に、ガス槽６の側壁中間部に周縁部を気密に取付けて上下動可能に設けた可撓性膜材からなるダイアフラム７を備える。
【００１５】
図示の有頂円筒状のガス槽６は、大気と連通する通気管からなる通気口８を球面状の屋根頂上部に設けた有頂円筒体の上段ガス槽６Ｕと、その上段ガス槽６Ｕの外側に設けた円筒状側壁からなる下段ガス槽６Ｌとで形成し、上段ガス槽６Ｕの下部外周には水封用水を溜めるカップ６Ｃを設け、下段ガス槽６Ｌの上部内周にはカップ６Ｃと水封状態で係合するデップ６Ｄを設けている。
【００１６】
また、上段ガス槽６Ｕは、その側壁部高さを環状水槽５側壁部高さのほぼ２倍高さに形成し、下段ガス槽６Ｌは、その側壁部高さを環状水槽５側壁部高さとほぼ同じ高さに形成している。そして、上段ガス槽６Ｕの側壁内側中間部、つまり環状水槽５側壁上端部よりやや上の位置の側壁内側中間部に、周縁部を気密に取付けて設ける可撓性膜材、例えば気密性を有する補強繊維材入り合成樹脂膜材からなるダイアフラム７は、図１［Ａ］のガス無貯溜の状態で着底し、かつ図１［Ｂ］及び図１［Ｃ］のガスを貯溜した状態で上昇反転して上段ガス槽６Ｕの天頂部へ着接するような上下動可能な形状に形成する。
【００１７】
また、上段及び下段のガス槽６Ｕ、６Ｌからなるガス槽６が、ガスの給排によって上下動する際に、転倒、或は回転しないように、上段及び下段のガス槽６Ｕ、６Ｌの上部には上部ガイドローラー１１を設け、その上部ガイドローラー１１を案内する基柱１２は、環状水槽５の外側周囲に一定間隔で立設する。また、図示は省略したが、ガス槽６の転倒、或は回転などを防止するために、上段及び下段のガス槽６Ｕ、６Ｌの下部に下部ガイドローラーを設け、その下部ガイドローラーを案内するガイド枠を、外槽３の内壁面及び下段ガス槽６Ｌの内壁面に設ける。
【００１８】
そして、上述のように形成した有水式ガスホルダー１が、次のように作動するように形成する。すなわち、図１［Ａ］のガス無貯溜の状態で、底板２を貫通して設けたガス出入り管９からガスを供給すると、まず懸吊りされたダイアフラム７が反転しながら上昇するとともに上段ガス槽６Ｕ内ダイアフラム７上の空気を通気口８から大気へ押し出し、図１［Ｂ］に示したように上段ガス槽６Ｕの天頂部へダイアフラム７を着接させてガスを貯溜する。さらに、ガス出入り管９から引き続いてガスを供給すると、環状水槽５内に着底していた上段ガス槽６Ｕが、供給されたガスによって環状水槽５内を浮かんで上昇し、水封用水を溜めているカップ６Ｃとデップ６Ｄが水封状態で係合して下段ガス槽６Ｌを上昇させ、図１［Ｃ］に示したように上段及び下段のガス槽６Ｕ、６Ｌが全昇してガスを貯溜する。
【００１９】
また、上段及び下段のガス槽６Ｕ、６Ｌが全昇してガスを貯溜した図１［Ｃ］の状態から、ガス出入り管９を介してガスを排出すると、上昇していたガス槽６が下段ガス槽６Ｌ、上段ガス槽６Ｕの順で降下し、上昇と逆の順序、つまり図１［Ｂ］、図１［Ａ］の順序で順次ガスを排出し得るように形成する。
【００２０】
上述の如く作動するように形成するので、この有水式ガスホルダー１においては、環状水槽５の内部空間、つまり内槽４の内側空間には、給排可能なガスを貯溜することができ、ガスの貯溜に有効利用できない無駄なスペースを大幅に減じることができる。よって、小スペースの敷地に設置しても効率良く大容量のガスを貯蔵することができる。
【００２１】
なお、従来の有水式ガスホルダーが内在する問題、つまり水槽内に貯える大量の水の後処理問題や堅牢な基礎を必要とする問題などの問題を解消できることは言及するまでもない。
【００２２】
また、図示の実施形態例においては、上段ガス槽６Ｕと下段ガス槽６Ｌの二層からなるガス槽６Ｕ、６Ｌでガス槽６を形成した事例を示しているが、小形の有水式ガスホルダーにおいては、下段ガス槽６Ｌを設けることなく、上段ガス槽６Ｕのみで、ガス槽６を形成してもよい。なお、この際の上段ガス槽６Ｕには、水封用水を溜めるカップ６Ｃは不要となる。
【００２３】
また、下段ガス槽６Ｌのような形状の円筒状側壁からなるガス槽、つまり水封用水を溜めるカップ６Ｃとそのカップ６Ｃと水封状態で係合するデップ６Ｄを備えた円筒状側壁からなる複数段の上下動可能なテレスコープ型のガス槽を、カップ６Ｃを形成した下段ガス槽６Ｌの外側に順次設けていくと、更に効率良く大容量のガスを貯蔵することが可能となり、より経済的な有水式ガスホルダー１とすることができる。
【００２４】
また、上段ガス槽６Ｕの内部に設ける可撓性膜材からなるダイアフラム７に、貯溜するガスの圧力を調整する重しのウエイト（図示省略）を取り付けると、有水式ガスホルダー１のガス出入り管９から排出して、他に供給するガスの供給圧力を調整することができるため、ガスの需要者が望む圧力でガスを供給することができ、利便である。さらに、図示省略した重しのウエイトを、ダイアフラム７の中心部に設けると、ダイアフラム７の上下動がスムーズに行える利点を有する。
【００２５】
また、内槽４の上端部に、上下動するダイアフラム７のガイド（図示を省略するが、例えば環状水槽５の水面一部をリング状に覆うように内槽４の上端部に設けた円弧状断面を有するガイド）を設けると、上下動するダイアフラム７が環状水槽５の内部にはまり込んで作動に支障をおこすおそれがなく安全で、内槽４の上端縁部にダイアフラム７が強く接触して損傷することもないのでより安全かつ耐久性に富んだ有水式ガスホルダー１とすることができる。
【００２６】
【発明の効果】
叙述の説明で明らかなように、この発明に係る有水式ガスホルダーは、環状水槽水面の上方に延出した上下動可能な有頂円筒状のガス槽を設け、そのガス槽の上部に大気と連通する通気口を設けるとともに、ガス槽の上段ガス槽の側壁内側中間部に上下動可能な可撓性膜材からなるダイアフラムを備えてなるので、環状水槽の内部空間、つまり内槽の内側空間には、給排可能なガスを貯溜することができる上に、ガス無貯溜の状態で底板上に着底してガスを排出することができるとともに、ガス槽の天頂部に着接させてガスを貯溜することができるため、ガス貯溜に有効利用できない無駄なスペースを減じ、小スペースの敷地に設置しても効率良く大容量のガスを貯蔵することができる。
【００２７】
また、上記有頂円筒状のガス槽を上下動可能な複数段の円筒状側壁を備えた多段式テレスコープ型のガス槽に形成した有水式ガスホルダーにおいては、ガス無貯溜の状態で底板上に着底してガスを供給すると、まず懸吊りされたダイアフラムが反転しながら上昇するとともに上段ガス槽内ダイアフラム上の空気を通気口から大気へ押し出し、上段ガス槽の天頂部へダイアフラムを着接させてガスを貯溜するため、更により効率良く大容量のガスを貯蔵することが可能となり、経済的な有水式ガスホルダーとすることができる。
【００２８】
【図面の簡単な説明】
【図１】  この発明に係る有水式ガスホルダーの一実施形態例を示した概要全体断面説明図である。
【図２】  従来の有水式ガスホルダーを示した概要全体断面説明図である。
【符号の説明】
１  有水式ガスホルダー                    ２  底板
３  外槽                                  ４  内槽
５  環状水槽                              ６  ガス槽
７  ダイアフラム                          ８  通気口
９  ガス出入り管                        １０  基礎
１１  上部ガイドローラー                  １２  基柱
【図１】
0004061437.tif 000002
【図２】
0004061437.tif 000003